(57)【要約】【課題】本発明は、工具を要さず、かつ錠前や扉に取り付けられた状態で左右勝手の切り替えを行い得るサムターン装置の提供を目的とした。【解決手段】本発明のサムターン装置１０は、サムギア３０と、切替部材４０と、係合機構５０と、係合機構５０によりサムギア４０に位置決めされた切替部材４０を、右勝手位置Ｐｒ及び左勝手位置Ｐｌに相互に切り替える切替機構５２とを有し、切替機構５２が、規制部５６を備え、切替部材４０と規制部５６とが接触する規制位置において、切替部材４０の回転を阻止しつつサムギア３０の回転を許容することにより、サムギア３０に対する切替部材４０の相対位置が切り替えられることを特徴とする。【選択図】図７
2019190235.tif 000002
【特許請求の範囲】
【請求項１】
サムターンと連結され、前記サムターンの回転軸を中心に回転する回転体と、
前記回転体に取り付けられる切替部材と、
前記回転体に対する前記切替部材の相対位置を、右勝手に対応する右勝手位置と左勝手に対応する左勝手位置との双方において位置決め可能とする係合機構と、
前記係合機構により前記回転体に位置決めされた前記切替部材を、前記右勝手位置及び前記左勝手位置に相互に切り替える切替機構とを有し、
前記切替機構が、
前記切替部材と接触して前記切替部材の回転を阻止可能であり、前記回転体の回転を許容する規制部を備え、
前記切替部材と前記規制部とが接触する規制位置において、前記切替部材の回転を阻止しつつ前記回転体の回転を許容することにより、前記回転体に対する前記切替部材の相対位置が切り替えられることを特徴とするサムターン装置。
【請求項２】
前記係合機構が、
前記回転体及び前記切替部材の一方に設けられる凹部と、
他方に設けられる凸部とを備え、
前記回転体及び前記切替部材が、前記凹部及び前記凸部が嵌合することにより、相対位置が位置決めされて一体的に回転可能とされるものであり、
前記凹部及び前記凸部の少なくとも一方には、前記右勝手位置に対応するもの及び前記左勝手位置に対応するものの双方が含まれるものであることを特徴とする請求項１に記載のサムターン装置。
【請求項３】
前記切替部材には前記凸部が設けられ、前記回転体には前記凹部が設けられるものであり、
前記凸部には、前記右勝手位置に対応する第一凸部と、前記左勝手位置に対応する第二凸部とが含まれていることを特徴とする請求項２に記載のサムターン装置。
【請求項４】
前記切替部材が、前記回転軸が延びる軸線方向に向けて突出して形成される被規制部を備え、
前記被規制部が前記規制部と接触する位置において、前記切替部材の回転が阻止されて前記回転体の回転が許容されることを特徴とする請求項１〜３のいずれかに記載のサムターン装置。
【請求項５】
前記回転体が、前記回転軸を中心として少なくとも半周分（１８０度）の範囲の可動域を備えるものであることを特徴とする請求項１〜４のいずれかに記載のサムターン装置。
【請求項６】
前記回転体が、前記サムターンの回転に連動して回転するとともに、動力が伝達されて回転可能とされたものであり、
前記回転体及び前記切替部材の少なくとも一方の位置を検出する検出装置と、
前記検出装置により検出された情報に基づいて、前記回転体の回転制御を行う制御部とを有することを特徴とする請求項１〜５のいずれかに記載のサムターン装置。
【請求項７】
前記検出装置が、前記回転体及び前記切替部材の双方の位置を検出可能であり、
前記制御部が、前記検出装置により検出された情報に基づいて、右勝手及び左勝手のうちのいずれであるかの判定を行うとともに、施錠状態及び解錠状態のいずれであるかの判定を行うものであることを特徴とする請求項６に記載のサムターン装置。
【請求項８】
前記回転体が、
外周面の少なくとも一部に歯部が形成された外歯車とされ、
径方向内側に前記切替部材が収容される収容部が形成されていることを特徴とする請求項６又は７に記載のサムターン装置。
【発明の詳細な説明】
【技術分野】
【０００１】
本発明は、サムターン装置に関する。
【背景技術】
【０００２】
従来、扉に設けられる錠前や、錠前に取り付けられるサムターン装置が提供されている。錠前には、デッドボルトが進退可能に設けられており、室内側からはサムターン装置のサムターンの操作によりデッドボルトを出没させて施解錠可能とされ、室外側からはシリンダー装置の鍵の操作、あるいはカードやテンキーなどにより施解錠可能とされている。
【０００３】
ここで、扉には、内開き又は外開きの右勝手の扉（以下、単に「右勝手」と記載する場合がある）と、内開き又は外開きの左勝手の扉（以下、単に「左勝手」と記載する場合がある）とがある。錠前については、デッドボルトを進退可能な方向に向くように扉に取り付けることで、扉が右勝手及び左勝手のいずれの場合にも対応可能である。
【０００４】
その一方、サムターン装置は、サムターンの回転方向と錠前のハブを施錠及び解錠できる向き、及びサムターンの施解錠を示す向き（一般的にはサムターンが縦向きの場合は解錠、横向きの場合は施錠）、及びサムターン装置が電動式である場合にはモータ等の駆動部を駆動させて施解錠可能な向きの全てを一致させる必要がある。そのため、サムターン装置を右勝手及び左勝手の双方に対応可能とすることは簡単ではなく、従来では右勝手用のサムターン装置、及び左勝手用のサムターン装置のそれぞれが準備され、勝手によってサムターン装置が選択されることが一般的であった。
【０００５】
このようなサムターンの向きなどを一致させつつ、右勝手及び左勝手の双方に対応可能であり、勝手を切り替えることができるサムターン装置が下記特許文献１に開示されている。特許文献１のサムターン装置は、錠前に取り付ける前の状態で工具を用いて左右勝手の切り替え操作を行い得るものとされている。
【先行技術文献】
【特許文献】
【０００６】
【特許文献１】特開２０１３−２０９８５６号公報
【発明の概要】
【発明が解決しようとする課題】
【０００７】
しかしながら、特許文献１のサムターン装置では、左右勝手の切り替えを行うにあたり、工具などを用いて行う必要があり、切り替え作業が煩わしい。また、特許文献１のサムターン装置では、例えば左右勝手を誤って設定された上で錠前に取り付けられた場合など、錠前からサムターン装置を取り外して再び工具を用いて左右勝手の切り替えを行う必要がある。
【０００８】
そこで本発明は、工具を要さず、かつ錠前や扉に取り付けられた状態で左右勝手の切り替えを行い得るサムターン装置の提供を目的とした。
【課題を解決するための手段】
【０００９】
上述の課題を解決すべく提供される本発明のサムターン装置は、サムターンと連結され、前記サムターンの回転軸を中心に回転する回転体と、前記回転体に取り付けられる切替部材と、前記回転体に対する前記切替部材の相対位置を、右勝手に対応する右勝手位置と左勝手に対応する左勝手位置との双方において位置決め可能とする係合機構と、前記係合機構により前記回転体に位置決めされた前記切替部材を、前記右勝手位置及び前記左勝手位置に相互に切り替える切替機構とを有し、前記切替機構が、前記切替部材と接触して前記切替部材の回転を阻止可能であり、前記回転体の回転を許容する規制部を備え、前記切替部材と前記規制部とが接触する規制位置において、前記切替部材の回転を阻止しつつ前記回転体の回転を許容することにより、前記回転体に対する前記切替部材の相対位置が切り替えられることを特徴とするものである。
【００１０】
本発明のサムターン装置によれば、サムターンが回動操作された場合に、切替部材と規制部とが接触する規制位置において、切替部材の回転が規制されつつ回転体がさらに回転する。これにより、本発明のサムターン装置は、回転体に対する切替部材の位置を、右勝手位置から左勝手位置、あるいは左勝手位置から右勝手位置へと切り替えることができる。すなわち、本発明のサムターン装置は、サムターンの回動操作を行うだけで、ドライバーなどの工具を必要とせず、右勝手から左勝手、あるいは左勝手から右勝手へと切り替えることができる。そのため、本発明のサムターン装置によれば、例えばサムターン装置を錠前や扉などに取り付ける前に勝手を切り替える作業を必要とせず、サムターン装置が扉などに取り付けられた状態で勝手の切り替えを行うことができる。
【００１１】
また、本発明のサムターン装置によれば、右勝手及び左勝手の双方に対応することができるため、右勝手用のサムターン装置及び左勝手用のサムターン装置の双方を準備する必要性を低下させることができる。
【００１２】
本発明のサムターン装置は、前記係合機構が、前記回転体及び前記切替部材の一方に設けられる凹部と、他方に設けられる凸部とを備え、前記回転体及び前記切替部材が、前記凹部及び前記凸部が嵌合することにより、相対位置が位置決めされて一体的に回転可能とされるものであり、前記凹部及び前記凸部の少なくとも一方には、前記右勝手位置に対応するもの及び前記左勝手位置に対応するものの双方が含まれるものであることが望ましい。
【００１３】
上述の構成によれば、機械的な構造により、回転体及び切替部材の相対位置を維持しつつ切り替えることができる。
【００１４】
本発明のサムターン装置は、前記切替部材には前記凸部が設けられ、前記回転体には前記凹部が設けられるものであり、前記凸部には、前記右勝手位置に対応する第一凸部と、前記左勝手位置に対応する第二凸部とが含まれているものとすることができる。
【００１５】
上述の構成によれば、機械的な構造により、回転体及び切替部材の相対位置を維持しつつ切り替えることができる。
【００１６】
また、本発明のサムターン装置は、前記切替部材が、前記回転軸が延びる軸線方向に向けて突出して形成される被規制部を備え、前記被規制部が前記規制部と接触する位置において、前記切替部材の回転が阻止されて前記回転体の回転が許容されるものであることが望ましい。
【００１７】
上述の構成によれば、機械的な構造により、回転体及び切替部材の相対位置を維持しつつ切り替えることができる。
【００１８】
本発明のサムターン装置は、前記回転体が、前記回転軸を中心として少なくとも半周分の範囲の可動域を備えるものであることが望ましい。
【００１９】
上述の構成によれば、回転体の可動域の中央を左右勝手共通の解錠位置として、回転体を正方向に四半周分（９０度）回転させて左右勝手の一方の施錠位置とし、逆方向に四半周分（９０度）回転させて他方の施錠位置とすることができる。すなわち、本発明のサムターン装置によれば、左右勝手に対応して、回転体の可動域全体を変位させることを要さず、機械的な他の機構や制御により、柔軟に左右勝手に応じて回転体を回転させることができる。
【００２０】
本発明のサムターン装置は、前記回転体が、前記サムターンの回転に連動して回転するとともに、動力が伝達されて回転可能とされたものであり、前記回転体及び前記切替部材の少なくとも一方の位置を検出する検出装置と、前記検出装置により検出された情報に基づいて、前記回転体の回転制御を行う制御部とを有することが望ましい。
【００２１】
上述の構成によれば、機械的な構造により回転体及び切替部材の相対位置を切り替えて左右勝手の切り替えを行うとともに、制御部の回転制御により回転体を回転させ、施解錠の制御を行うことができる。その結果、本発明のサムターン装置は、サムターンを手動で操作して施錠や解錠を行い得ることに加え、カードやテンキーに対応して施錠や解錠を可能とした電動式のサムターン装置として、好適に活用することができる。
【００２２】
また、本発明のサムターン装置は、前記検出装置が、前記回転体及び前記切替部材の双方の位置を検出可能であり、前記制御部が、前記検出装置により検出された情報に基づいて、右勝手及び左勝手のうちのいずれであるかの判定を行うとともに、施錠状態及び解錠状態のいずれであるかの判定を行うものであることが望ましい。
【００２３】
上述の構成によれば、機械的な構造により回転体及び切替部材の相対位置を切り替えて左右勝手の切り替えを行うとともに、制御システム上の左右勝手の判定や施解錠の判定を行い、左右勝手に応じた施解錠の制御を行うことができる。その結果、本発明のサムターン装置は、サムターンを手動で操作して施錠や解錠を行い得ることに加え、カードやテンキーに対応して施錠や解錠を可能とした電動式のサムターン装置として、好適に活用することができる。
【００２４】
本発明のサムターン装置は、前記回転体が、外周面の少なくとも一部に歯部が形成された外歯車とされ、径方向内側に前記切替部材が収容される収容部が形成されているものとすることができる。
【００２５】
上述の構成によれば、サムターンへの手動操作及び駆動部による駆動の双方により、回転体を回転させることができる。すなわち、本発明のサムターン装置によれば、動力により施解錠する場合と手動により施解錠する場合との双方において、回転体の回転動作により行うことができる。また、本発明のサムターン装置は、回転体の径方向内側に切替部材を収容させて、係合機構及び切替機構をコンパクトな構成とすることができる。
【発明の効果】
【００２６】
本発明によれば、工具を要さず、かつ錠前や扉に取り付けられた状態で左右勝手の切り替えを行い得るサムターン装置を提供することができる。
【図面の簡単な説明】
【００２７】
【図１】本発明の実施形態に係るサムターン装置の外観を示す斜視図である。
【図２】右勝手及び左勝手を説明するための参考図である。
【図３】図１のサムターン装置の分解斜視図である。
【図４】図１のサムターン装置のサムターン、サムギア、及び連結部材を示す側面図である。
【図５】図１のサムターン装置のサムギアを示している。（ａ）は正面側の斜視図、（ｂ）は背面側の斜視図、（ｃ）は背面図である。
【図６】図１のサムターン装置の切替部材を示している。（ａ）は背面側の斜視図、（ｂ）は正面図、（ｃ）は図６（ｂ）のＡ−Ａ’線断面図である。
【図７】図１のサムターン装置のサムギア及び切替部材を示している。（ａ）は正面側の斜視図、（ｂ）は背面側の斜視図である。
【図８】図１のサムターン装置の係合機構を示す図である。
【図９】図１のサムターン装置の切替機構を示す図である。
【図１０】図１のサムターン装置の駆動機構を示す正面図である。
【図１１】図１のサムターン装置の駆動機構を示す分解斜視図である。
【図１２】図１のサムターン装置のクラッチ機構の動作を示す正面図である。
【図１３】図１のサムターン装置の右勝手設定における施解錠動作を示す図である。
【図１４】図１のサムターン装置の左勝手設定における施解錠動作を示す図である。
【図１５】図１のサムターン装置の左勝手設定への切り替え動作を示す図である。
【図１６】図１のサムターン装置の右勝手設定への切り替え動作を示す図である。
【発明を実施するための形態】
【００２８】
以下、本発明の実施形態に係るサムターン装置１０について図面を参照しつつ説明する。図１は、サムターン装置１０の外観を示す斜視図である。
【００２９】
図１に示すとおり、サムターン装置１０は、サムターン１８を有している。サムターン装置１０は、扉Ｄの室内側に取り付けられ、錠前１に連結される。錠前１は、本締りが可能な錠とされ、デッドボルト２が進退可能に設けられている。錠前１は、サムターン１８への手動操作や、鍵（図示を省略）による手動操作、あるいはカードやテンキーにより後述する駆動機構６０を作動させて施錠及び解錠を行うことができる。
【００３０】
錠前１には、回動自在とされたハブ３が設けられている。錠前１は、ハブ３を回転させることにより、ハブ３と連結された作動アーム（図示を省略）等が作動して、デッドボルト２を突出させ、あるいは後退させて施解錠を行うことができる。ハブ３の室内側には、本実施形態のサムターン装置１０の連結部材２０が連結される。
【００３１】
ここで、扉Ｄの左右勝手と、施解錠時のサムターン１８の回転方向について説明する。本明細書では、扉Ｄが屋内側に開くことを「内開き」、屋外側に開くことを「外開き」と記載して説明する。また、図２に示すとおり、屋内側から見て丁番（図示を省略）が右側に見える状態を「右勝手」、丁番が左側に見える状態を「左勝手」と記載して説明する。
【００３２】
図２に示すとおり、解錠状態では、扉Ｄが右勝手であるか左勝手であるかを問わず、サムターン１８は縦向きとされる。また、施錠状態では、扉Ｄが右勝手であるか左勝手であるかを問わず、サムターン１８は横向きとされる。言い換えれば、サムターン１８は、縦向きの場合には解錠状態を示し、横向きの場合には施錠状態を示すインジケータとしての機能を有している。
【００３３】
一方、解錠状態から施錠状態へと操作を行う場合、扉Ｄが右勝手であるか左勝手であるかによって、サムターン１８を横向きとする場合の回転方向が異なる。
【００３４】
例えば、図２（ａ）に示すとおり、扉Ｄが右勝手である場合において施錠状態から解錠状態へと操作を行う場合には、サムターン１８を室内側から見て「時計回り」（正方向）に約９０度回転させると、突出していたデッドボルト２が後退して、解錠状態とされる。また、図２（ａ）に示すとおり、扉Ｄが右勝手である場合において解錠状態から施錠状態へと操作を行う場合には、サムターン１８を室内側から見て「反時計回り」（逆方向）に約９０度回転させると、デッドボルト２が突出して施錠状態とされる。なお、扉Ｄに設けられる錠前１の種類や構造等によっては、前述したのとは逆に、扉Ｄが右勝手である場合においてサムターン１８を室内側から見て「反時計回り」（逆方向）に約９０度回転させることで解錠状態となり、「時計回り」（正方向）に約９０度回転させることで施錠状態となるものもある。以下の説明では、特に断りのない限り、右勝手の場合には前述の通り「時計回り」（正方向）に約９０度回転させることで解錠状態となり、「反時計回り」（逆方向）に約９０度回転させることで施錠状態となるものであることを前提として説明する。
【００３５】
図２（ｂ）に示すとおり、扉Ｄが左勝手である場合において施錠状態から解錠状態へと操作を行う場合には、サムターン１８を室内側から見て「反時計回り」（逆方向）に約９０度回転させると、突出していたデッドボルト２が後退して、解錠状態とされる。また、図２（ｂ）に示すとおり、扉Ｄが左勝手である場合において解錠状態から施錠状態へと操作を行う場合には、サムターン１８を室内側から見て「時計回り」（正方向）に約９０度回転させると、デッドボルト２が突出して施錠状態とされる。なお、扉Ｄに設けられる錠前１の種類や構造等によっては、前述したのとは逆に、扉Ｄが左勝手である場合においてサムターン１８を室内側から見て「時計回り」（正方向）に約９０度回転させることで解錠状態となり、「反時計回り」（逆方向）に約９０度回転させることで施錠状態となるものもある。以下の説明では、特に断りのない限り、左勝手の場合には前述の通り「反時計回り」（逆方向）に約９０度回転させることで解錠状態となり、「時計回り」（正方向）に約９０度回転させることで施錠状態となるものであることを前提として説明する。
【００３６】
サムターン装置１０は、右勝手、及び左勝手に対応可能とされている。また、サムターン装置１０は、右勝手及び左勝手に相互に切り替え可能とされている。以下、サムターン装置１０の構成について説明する。
【００３７】
図１及び図３に示すとおり、サムターン装置１０は、本体１４、サムターン１８、及びカバー１２を有している。サムターン装置１０は、本体１４をカバー１２により覆い、カバー１２の外側にサムターン１８を配置させた構成されている。また、本体１４には、駆動源となる電池８を収容することができる。
【００３８】
図３に示すとおり、本体１４は、サムターン１８、サムギア３０（回転体）、切替部材４０、ギア収容体５４、連結部材２０、駆動機構６０、裏蓋１６を有している。また、本体１４は、係合機構５０（図７参照）、切替機構５２（図８参照）、制御部（図示を省略）、及び検知装置（図示を省略）を備えている。
【００３９】
図３に示すとおり、本体１４には、扉Ｄに取り付けられる背面側に裏蓋１６が設けられている。サムターン装置１０は、カバー１２と裏蓋１６により形成される内部空間内に、サムギア３０、駆動機構６０等の構成を収容させている。
【００４０】
カバー１２は、背面側が開口とされ、内部に収容空間が形成された箱体とされている。カバー１２と裏蓋１６とは、ねじ等の接続部材（図示を省略）により組み付けられる。なお、カバー１２の内側には、ギア収容体５４やモータケース６１等を位置決めするため、図示を省略した位置決め用の突起等が形成されている。
【００４１】
サムターン１８は、手動による施錠及び解錠を行うための操作用のツマミである。上述のとおり、サムターン１８は、カバー１２の外側に配置される。また、サムターン１８の内側には、図示を省略した軸取付部が形成され、軸取付部にはサムギア３０の軸部３２が嵌め込まれる。
【００４２】
サムターン１８は、サムギア３０を介して後述するサムターン軸２２と連結され、サムターン軸２２の回転軸と一体的に回転する。言い換えれば、サムターン１８、サムギア３０、及びサムターン軸２２は、相互に回転軸を一致させ、回転軸Ｌ１を中心に一体的に回転する。以下の説明では、サムターン１８、サムギア３０、及びサムターン軸２２の回転軸を、単に「回転軸Ｌ１」と記載して説明する。また、回転軸Ｌ１が延びる方向を、単に「軸線方向Ｘ」と記載して説明する場合がある。また、軸線方向Ｘにおいて、裏蓋１６側を「背面側」と、背面とは反対側を「正面側」と記載して説明する場合がある。
【００４３】
図１に示すとおり、連結部材２０は、錠前１のハブ３に連結される。図３及び図４に示すとおり、連結部材２０は、サムターン軸２２と、胴部２４とを有している。
【００４４】
サムターン軸２２は、サムギア３０の回転を錠前１のハブ３に伝達するためのものである。図４に示すとおり、サムターン軸２２は、正面側の端部である先端部２２ｂ及び背面側の端部である基端部２２ａの双方に、略十字状の断面形状を有している。サムターン軸２２は、基端部２２ａがハブ３の係合穴（図示を省略）にはめ込まれ、サムターン軸２２とハブ３は一体的に回転する。これにより、サムターン装置１０は、サムターン軸２２の回転によりハブ３を回転させて、錠前１のデッドボルト２を進退させることができる。また、先端部２２ｂは、サムギア３０の軸部３２に挿通されて取り付けられる。サムターン軸２２とサムギア３０の軸部３２とは、サムターン軸２２の十字状の形状に軸部３２の係止部３２ｂが係止して、回転方向に位置決めされて一体的に回転する。
【００４５】
胴部２４は、サムターン軸２２を回転可能に支持するためのものである。胴部２４は、図示を省略したねじ等の部材を介して裏蓋１６に取り付けられる。サムターン軸２２は、胴部２４に取り付けられた状態において、軸線方向Ｘに位置決めされ、回転可能に支持される。
【００４６】
サムギア３０（回転体）は、サムターン１８への手動による回転操作や駆動機構６０による作動により、回転軸Ｌ１を中心に回転する。言い換えれば、サムギア３０は、サムターン装置１０において手動及び電動により回転され、手動及び電動による回転をサムターン軸２２に伝達させて施解錠動作を行うために設けられている。サムギア３０は、サムターン１８と連結され、サムターン１８の回転軸Ｌ１を中心に回転する。
【００４７】
図５に示すとおり、サムギア３０は、軸状に形成された軸部３２と、軸部３２の中途部から径方向外側に拡径するように形成されたギア部３４とを有している。サムギア３０は、軸部３２及びギア部３４が一体的に形成され、図５に示すような外観を有している。
【００４８】
図５に示すとおり、軸部３２は、略円柱状の外観とされている。図５（ｂ）に示すとおり、軸部３２は、内部が中空とされ、内周面には軸線方向Ｘに延びる二本の係止部３２ｂが形成されている。また、図５（ａ）に示すとおり、軸部３２の正面側の端部には、略十字状のサムターン連結部３２ａが形成されている。
【００４９】
図４に示すとおり、軸部３２には、背面側からサムターン軸２２が挿通される。また、軸部３２は、正面側のサムターン連結部３２ａがサムターン１８の内側に挿通され、サムターン１８の軸取付部（図示を省略）に嵌め込まれる。これにより、サムターン１８、サムギア３０、及びサムターン軸２２は、サムターン軸２２の回転軸Ｌ１と一致する回転軸線を形成して一体的に回転する。言い換えれば、サムギア３０の軸部３２は、サムターン１８とサムターン軸２２とを連結して一体的に回転させる連結部材として機能する。また、サムターン１８、サムギア３０の軸部３２、及びサムターン軸２２は、サムターン１８への手動による回転を伝達する手動機構として機能する。
【００５０】
図５に示すとおり、ギア部３４は、軸部３２の径方向外側に向けて拡径するようなフランジ状の形状とされている。ギア部３４の外周面３４ａには、歯部３５が形成されている。歯部３５は、ギア部３４の周方向の全域のうち半周以上（１８０度以上）に亘り形成されている。ギア部３４は、後述する駆動機構６０から動力が伝達され、回転軸Ｌ１を回転軸として回転する。言い換えれば、サムギア３０は、駆動機構６０により駆動される電動機構としても機能する。
【００５１】
図５（ｂ）及び（ｃ）に示すとおり、ギア部３４の背面側には、ギア部３４の内周面３４ｂに取り囲まれた収容部３６が形成されている。図７（ｂ）に示すとおり、収容部３６には、後述する切替部材４０が収容される。
【００５２】
図５（ｃ）に示すとおり、ギア部３４の周部のうち外側に歯部３５が形成されていない領域は、径方向内側に縮小するように形成された縮径部３４ｃとされている。縮径部３４ｃの内周面３４ｂには、後で詳述する係合機構５０を構成する凹部３８が設けられている。凹部３８は、ギア部３４の内周面３４ｂの一部を起伏させるように形成されている。より具体的には、凹部３８は、ギア部３４の内側の壁面を径方向内側から外側に向けて窪ませるように形成されている。また、ギア部３４の内周面３４ｂのうち凹部３８と隣接する部分は、凹部３８と連続するように起伏する形状とされている。
【００５３】
図５（ｂ）及び（ｃ）に示すとおり、ギア部３４には、第一被検知部８０が設けられている。第一被検知部８０は、凹部３８が設けられた位置に対して径方向外側に隣接するように設けられている。第一被検知部８０は、非接触型の磁気センサーとされた検知装置（図示を省略）により検知可能とされている。本実施形態では、第一被検知部８０は、磁石として設けられている。
【００５４】
図５（ｃ）に示すとおり、サムターン１８が縦向きである場合（解錠状態）には、サムギア３０は、サムターン装置１０を正面視した状態において、第一被検知部８０が下方の基準位置Ｐ１に配置される（図１３等参照）。また、サムギア３０は、基準位置Ｐ１から正方向に約９０度（＋９０度）回転可能とされ、基準位置Ｐ１から逆方向に約９０度（−９０度）回転可能とされている。すなわち、サムギア３０は、回転軸Ｌ１を中心として少なくとも半周分（１８０度）の範囲の可動域Ｒを備えている。
【００５５】
切替部材４０は、サムターン装置１０の左右勝手の設定を切り替えるために設けられている。図６に示すとおり、切替部材４０は、軸線方向Ｘに異なる厚みを有する部材である。図７等に示すように、切替部材４０は、サムギア３０に取り付けられる。
【００５６】
図６（ｃ）に示すとおり、切替部材４０は、軸線方向Ｘに所定の厚みを備える第一構成部４０ａと、第一構成部４０ａから軸線方向Ｘの背面側に突出するように形成された第二構成部４０ｂとを有し、第一構成部４０ａ及び第二構成部４０ｂとが一体的に形成されている。また、切替部材４０は、背面側から視認した場合に、図６（ａ）に示す外観を形成している。
【００５７】
切替部材４０は、略中央に孔部４１が設けられている。図７に示すとおり、切替部材４０は、サムギア３０の軸部３２に孔部４１が挿通され、サムギア３０の収容部３６に収容される。図７に示すとおり、切替部材４０が収容部３６に収容された状態では、切替部材４０の第一構成部４０ａが正面側に配置され、第二構成部４０ｂが背面側に配置される。また、切替部材４０は、回転軸Ｌ１を回転中心としてサムギア３０と一体的に回転し、左右勝手の設定切替時には、後述する規制部５６により回転が規制されて回転軸Ｌ１を中心としてサムギア３０に対して相対的に変位する。
【００５８】
図６（ａ）に示すとおり、切替部材４０には、凸部４２、突出部４５、被規制部４８、及び第二被検知部８２が設けられている。凸部４２及び突出部４５は、第一構成部４０ａに形成されている。また、被規制部４８は、第二構成部４０ｂに形成されている。言い換えれば、切替部材４０は、正面側に配置される凸部４２及び突出部４５と、背面側に配置される被規制部４８との、軸線方向Ｘの異なる位置に配置される構成を有している。
【００５９】
凸部４２は、凹部３８とともに後述する係合機構５０を構成する。切替部材４０には、二つの凸部４２として、第一凸部４３と、第二凸部４４とが形成されている。第一凸部４３と第二凸部４４とは、切替部材４０の回転中心に対して、略９０度の角度をなすように配置されている。切替部材４０は、第一凸部４３及び第二凸部４４のうちのいずれかが凹部３８と嵌合することにより、サムギア３０に対して周方向に位置決めされる。これにより、切替部材４０は、サムギア３０と一体的に回転する。
【００６０】
図６（ｂ）に示すとおり、突出部４５は、凸部４２よりも径方向に大きく突出するように形成された部分である。切替部材４０には、二つの突出部４５として、第一突出部４６及び第二突出部４７とが形成されている。
【００６１】
被規制部４８は、後述する規制部５６とともに、切替機構５２を構成している。図６（ａ）及び（ｃ）に示すとおり、被規制部４８は、切替部材４０において、第一構成部４０ａに対して軸線方向Ｘに突出するように形成されている。被規制部４８は、正面視において、回転軸Ｌ１を中心として、周方向において略９０度の角度をなす扇状の形状とされている。被規制部４８は、後述する規制部５６と接触する位置に配置される。
【００６２】
切替部材４０には、第二被検知部８２が設けられている。第二被検知部８２は、被規制部４８の略中央に設けられている。第二被検知部８２は、非接触型の磁気センサーとされた検知装置（図示を省略）により検知可能とされている。本実施形態では、第二被検知部８２は、磁石として設けられている。
【００６３】
図７に示すとおり、ギア収容体５４には、サムギア３０及び切替部材４０が収容される。ギア収容体５４は裏蓋１６側に配置され、カバー１２に設けられた位置決め部（図示を省略）に取付孔５７ｂが挿通されて位置決めされる。
【００６４】
図７（ａ）に示すとおり、ギア収容体５４には、貫通孔５７ａ及び規制部５６が設けられている。貫通孔５７ａは、サムギア３０の軸部３２を挿通させるために設けられている。
【００６５】
規制部５６は、被規制部４８とともに切替機構５２を構成している。規制部５６は、被規制部４８と接触して切替部材４０の回転範囲を約９０度に制限しつつサムギア３０の回転を許容して、サムギア３０と切替部材４０とがなす角度を切り替えるために設けられている。図９に示すとおり、本実施形態の規制部５６は、回転軸Ｌ１を中心として略１８０度の角度をなすＵ字状の突起部として設けられている。規制部５６は、切替部材４０が正方向（図８では時計回り）に回転した場合に被規制部４８と接触する第一規制部５６ａと、切替部材４０が逆方向（図８では反時計回り）に回転した場合に被規制部４８と接触する第二規制部５６ｂとを有している。
【００６６】
続いて、係合機構５０について、図８を参照しつつ説明する。なお、図８は、正面側から視認した状態を示している。上述のとおり、係合機構５０は、凹部３８及び凸部４２により構成されている。図８等に示すとおり、本実施形態のサムターン装置１０では、凹部３８がサムギア３０に設けられ、凸部４２が切替部材４０に設けられている。サムギア３０及び切替部材４０は、凹部３８及び凸部４２が嵌合することにより、相対位置が位置決めされて一体的に回転可能とされている。凸部４２には、右勝手位置Ｐｒに対応する第一凸部４３と、左勝手位置Ｐｌに対応する第二凸部４４とが含まれている。
【００６７】
係合機構５０は、サムギア３０に対する切替部材４０の相対位置を、右勝手に対応する右勝手位置Ｐｒ、及び左勝手に対応する左勝手位置Ｐｌの双方において位置決め可能としている。具体的には、図８（ａ）に示すとおり、凹部３８に第一凸部４３が嵌め込まれている状態では、サムギア３０及び切替部材４０の相対位置は、サムギア３０の可動域Ｒのうち、基準位置Ｐ１からサムギア３０が逆方向（図８では反時計回り）に約９０度回転可能となる右勝手位置Ｐｒとされる。
【００６８】
また、図８（ｂ）に示すとおり、凹部３８に第二凸部４４が嵌め込まれている状態では、サムギア３０及び切替部材４０の相対位置は、サムギア３０の可動域Ｒのうち、基準位置Ｐ１からサムギア３０が正方向（図８では時計回り）に約９０度回転可能となる左勝手位置Ｐｌとされる。
【００６９】
次いで、切替機構５２について、図９を参照しつつ説明する。切替機構５２は、係合機構５０によりサムギア３０に位置決めされた切替部材４０を、右勝手位置Ｐｒ及び前記左勝手位置Ｐｌに相互に切り替えるために設けられている。規制部５６は、第一規制部５６ａと第二規制部５６ｂとを備えている。
【００７０】
図９に示すとおり、切替機構５２は、規制部５６及び被規制部４８により構成されている。なお、図９は、正面側から視認した場合を示している。規制部５６はギア収容体５４（図９では図示を省略）に設けられており、被規制部４８は切替部材４０に設けられている。規制部５６が設けられた規制位置では、被規制部４８と規制部５６とが接触して、切替部材４０の回転が阻止されつつ、サムギア３０の回転が許容される。
【００７１】
より具体的には、切替部材４０及びサムギア３０が右勝手位置Ｐｒとなるよう係止された状態（図９（ａ）参照）で被規制部４８が第一規制部５６ａと接触する規制位置に到達すると、切替部材４０は正方向への回転が阻止され、サムギア３０はさらに正方向に回転する。サムギア３０が規制位置からさらに正方向に９０度回転すると、サムギア３０は、凹部３８と第二凸部４４とが係合する位置まで回転して、サムギア３０と切替部材４０とが、左勝手位置Ｐｌとなる（図９（ｂ）参照）。
【００７２】
また、図示は省略するが、切替部材４０及びサムギア３０が左勝手位置Ｐｌとなるよう係止された状態で被規制部４８が第二規制部５６ｂと接触する規制位置に到達すると、切替部材４０は逆方向への回転が阻止され、サムギア３０がさらに逆方向に回転する。サムギア３０が規制位置からさらに逆方向に９０度回転すると、サムギア３０は、凹部３８と第一凸部４３とが係合する位置まで回転して、サムギア３０と切替部材４０とが、右勝手位置Ｐｒとなる。
【００７３】
このように、切替機構５２は、切替部材４０と規制部５６とが接触する規制位置において、切替部材４０の回転を阻止しつつサムギア３０の回転を許容することにより、サムギア３０に対する切替部材４０の相対位置を切り替えることができる。また、図７及び８等に示すとおり、係合機構５０の凹部３８と凸部４２とが接触する面は周方向に対して湾曲した当接面とされ、切替機構５２の規制部５６と被規制部４８とが接触する面は変周方向と交差するような平坦面とされている。そのため、規制位置において、さほど大きな外力を要さずにサムターン１８を回転させて、切替部材４０の回動を阻止しつつサムギア３０の回動を許容する。これにより、サムターン装置１０は、サムターン１８を正方向又は逆方向に回転させる操作を行うだけで、機械的な左右勝手を切り替えることができる。
【００７４】
検知装置（図示を省略）は、サムギア３０及び切替部材４０の位置を検知するために設けられている。検知装置は、サムギア３０に取り付けられる第一被検知部８０と、切替部材４０に取り付けられる第二被検知部８２との位置を検出可能とされている。なお、本実施形態の検知装置は、磁力を検知対象とする非接触型センサーとされている。
【００７５】
制御部（図示を省略）は、検知装置により検知されたサムギア３０及び切替部材４０の位置を判定して、左右勝手の状態を判定するために設けられている。また、サムターン装置１０は、検知装置により検知されたサムギア３０の位置に基づいて、施錠状態であるか解錠状態であるかを判定する。
【００７６】
続いて、サムターン装置１０の電動による作動のために設けられた駆動機構６０について説明する。駆動機構６０は、電池８を動力源として電動によりサムギア３０を回転させるために設けられている。図１及び図１０に示すとおり、駆動機構６０を構成するモータ６２やギア等は、モータケース６１に収容されている。
【００７７】
図１０に示すとおり、駆動機構６０は、モータ６２（駆動部）、及び動力伝達機構６４を有している。モータ６２（駆動部）は、正方向及び逆方向の双方に回転可能なモータであり、モータ軸６２ａを有している。
【００７８】
動力伝達機構６４は、モータ６２の回転動力をサムギア３０に伝達するために設けられている。図１１に示すとおり、動力伝達機構６４は、ウォームギア６６、ホイールギア６７、トルクリミットギア６９、センターギア７０、クラッチ機構７２を有している。
【００７９】
ウォームギア６６は、モータ６２のモータ軸６２ａに取り付けられている。ウォームギア６６は、ホイールギア６７と噛み合い、ホイールギア６７に伝達された回転動力は、ホイールギア６７と一体的に形成されたサブギア６８を介してトルクリミットギア６９に伝達される。トルクリミットギア６９とセンターギア７０とは、同軸とされた駆動回転軸Ｌ２を中心として回転する。センターギア７０は、クラッチ機構７２を構成するクラッチギア７５，７６と噛み合う。さらに、クラッチギア７５，７６は、後で詳述するとおり、揺動板７４が揺動してサムギア３０のギア部３４と噛み合う位置となり、クラッチギア７５，７６からサムギア３０に回転動力が伝達される。
【００８０】
このように、モータ６２の動力は、ウォームギア６６、ホイールギア６７、サブギア６８、トルクリミットギア６９、センターギア７０、クラッチギア７５，７６の歯車列を介して、サムギア３０に伝達される。
【００８１】
ここで、サムギア３０と駆動機構６０との動力伝達を接続及び遮断するためのクラッチ機構７２について説明する。クラッチ機構７２は、サムターン装置１０の手動と電動との切り換えをスム−ズに行うために設けられている。図１１及び図１２に示すとおり、クラッチ機構７２は、揺動板７４、一対のクラッチギア７５，７６、及び復帰用ピン７７を備えている。
【００８２】
図１２（ａ）に示すとおり、センターギア７０の回転が停止している状態では、揺動板７４は傾斜しておらず、センターギア７０とクラッチギア７５，７６とは離間した状態で維持される。すなわち、モータ６２から動力が伝達されていない状態では、駆動機構６０からサムギア３０への動力伝達が遮断された状態となる。そのため、サムターン装置１０は、サムターン１８が手動で操作される場合には、手動操作によるサムギア３０の回転によりモータ６２に負荷がかかることを抑制することができる。
【００８３】
図１２（ｂ）に示すとおり、センターギア７０が回転すると、センターギア７０の回転方向に沿って揺動板７４が揺動して傾く。また、揺動板７４に取り付けられたクラッチギア７５及びクラッチギア７６のうちのいずれかがサムギア３０の歯部３５と噛み合う位置に変位する。クラッチギア７５，７６のいずれかがサムギア３０の歯部３５と噛み合う位置まで変位した状態では、センターギア７０の回転動力がクラッチギア７５，７６を介してサムギア３０に伝達される。
【００８４】
また、図１２（ｃ）に示すとおり、図１２（ａ）の状態からサムギア３０の回転角度が９０度に到達すると、復帰用ピン７７がサムギア３０と一体的に回転する切替部材４０の第一突出部４６と接触する。復帰用ピン７７は、第一突出部４６により揺動板７４の傾斜を解除させる方向に押され、クラッチギア７５，７６は再びサムギア３０の歯部３５から離間する位置へと変位する。
【００８５】
なお、図１２に示す方向とは逆向きにセンターギア７０が回転するようにモータ６２が作動する場合には、図１２に示す方向と逆向きの方向のクラッチギア７５，７６がサムギア３０の歯部３５と噛み合う。
【００８６】
このように、サムターン装置１０は、手動でサムターン１８を回転して施解錠を行う場合には、モータ６２への負荷を低減させつつ、電動で施解錠を行う場合に、正回転及び逆回転のいずれの場合にも適切に動力を伝達することができる。このように、サムギア３０が約９０度回転して、解錠状態から施錠状態、又は施錠状態から解錠状態へと状態が変化する度に、サムギア３０と駆動機構６０との動力伝達が遮断される。これにより、サムターン装置１０は、手動と電動との切り替えをスムーズに行うことができる。
【００８７】
続いて、サムターン装置１０の施解錠時の動作、及び左右勝手の切り替え時の動作について、図１３〜図１６を参照しつつ説明する。本実施形態では、先ずサムターン装置１０の施解錠時の動作について説明し、次いでサムターン装置１０の左右勝手の切り替えを行う動作について説明する。
【００８８】
なお、図１３〜１６では、サムターン軸２２、錠前１、ハブ３は図示を省略している。また、図１３〜１６に示す図は、正面側から視認した状態を示している。
【００８９】
なお、以下の説明において、サムターン装置１０が右勝手用として設定されている状態を単に「右勝手設定」と記載する場合がある。また、サムターン装置１０が左勝手用として設定されている状態を単に「左勝手設定」と記載する場合がある。
【００９０】
図１３（ａ）及び図１４（ａ）に示すとおり、サムターン装置１０は、右勝手設定、及び左勝手設定の双方において、サムターン１８が縦向きとなる場合に解錠状態となるように設定されている。また、図１３（ｂ）及び図１４（ｂ）に示すとおり、サムターン装置１０は、右勝手設定、及び左勝手設定の双方において、サムターン１８が横向きとなる場合に施錠状態となるように設定されている。言い換えれば、サムターン１８は、縦向きの場合には解錠状態を示し、横向きの場合には施錠状態を示すインジケータとしての機能を有している。
【００９１】
サムギア３０は、右勝手設定であるか左設定であるかに関わらず、サムターン１８が縦向きである場合には第一被検知部８０が基準位置Ｐ１に配置される状態（サムギア３０の回転角度±０度）となる。
【００９２】
＜右勝手の場合の施解錠動作＞
図１３を参照しつつ、右勝手設定における施解錠動作について説明する。図１３（ａ）に示すとおり、サムターン装置１０は、右勝手位置Ｐｒに対応する第一凸部４３が凹部３８に嵌め込まれた状態において、右勝手設定とされる。また、制御部は、検知装置により検知された第一被検知部８０及び第二被検知部８２の相対位置が、回転軸Ｌ１に対して角度θ１（本実施形態では約１３５度）である場合には、右勝手設定であると判定する。
【００９３】
図１３（ｂ）に示すとおり、右勝手設定のサムターン装置１０では、サムギア３０が逆方向（図１３では反時計回り）に９０度（−９０度）回転すると、施錠状態とされる。
【００９４】
例えば、手動により、右勝手設定のサムターン装置１０を解錠状態から施錠状態にする場合には、サムターン１８を逆方向に９０度（−９０度）回転させる操作が行われることにより、サムギア３０が逆方向に９０度（−９０度）回転する。サムギア３０の回転は、サムターン軸２２を介してハブ３に伝達され、錠前１の施錠動作が行われる。
【００９５】
また、電動により、右勝手設定のサムターン装置１０を解錠状態から施錠状態にする場合には、制御部が第一被検知部８０及び第二被検知部８２の位置情報に基づいて、モータ６２を駆動させる制御が行われる。具体的には、右勝手設定において解錠状態から施錠状態にする場合には、制御部は、検知装置により検知された第一被検知部８０及び第二被検知部８２の位置情報に基づいてモータ６２を作動させ、サムギア３０を逆方向に９０度（−９０度）回転させる。サムギア３０の回転は、サムターン軸２２を介してハブ３に伝達され、錠前１の施錠動作が行われる。
【００９６】
制御部は、右勝手設定である場合において、サムギア３０の回転角度が逆方向に９０度（−９０度）に到達した場合には、施錠状態であると判定する。具体的には、図１３（ｂ）に示すとおり、制御部は、第一被検知部８０が基準位置Ｐ１から逆方向に９０度の位置にある右勝手施錠位置Ｐ２において検知されると、施錠状態であると判定する。
【００９７】
図１３（ｃ）に示すとおり、右勝手設定のサムターン装置１０では、サムギア３０が正方向（図１３では時計回り）に約９０度（＋９０度）回転されると、サムターン軸２２を介してハブ３に回転が伝達されて解錠状態とされる。
【００９８】
例えば、手動により、右勝手設定のサムターン装置１０を施錠状態から解錠状態にする場合には、サムターン１８を正方向に約９０度回転させる操作が行われることにより、サムギア３０が正方向に約９０度（＋９０度）回転する。サムギア３０の回転は、サムターン軸２２を介してハブ３に伝達され、錠前１の解錠動作が行われる。
【００９９】
また、電動により、右勝手設定のサムターン装置１０を施錠状態から解錠状態にする場合には、制御部が第一被検知部８０及び第二被検知部８２の位置情報に基づいて、モータ６２を駆動させる制御が行われる。具体的には、右勝手設定において施錠状態から解錠状態にする場合には、制御部は、検知装置により検知された第一被検知部８０及び第二被検知部８２の位置情報に基づいてモータ６２を作動させ、サムギア３０を正方向に約９０度（＋９０度）回転させる。サムギア３０の回転は、サムターン軸２２を介してハブ３に伝達され、錠前１の解錠動作が行われる。
【０１００】
＜左勝手の場合の施解錠動作＞
次いで、図１４を参照しつつ、左勝手設定における施解錠動作について説明する。図１４（ａ）に示すとおり、サムターン装置１０は、左勝手位置Ｐｌに対応する第二凸部４４が凹部３８に嵌め込まれた状態において、左勝手設定とされる。また、制御部は、検知装置により検知された第一被検知部８０及び第二被検知部８２の相対位置が、回転軸Ｌ１に対して角度θ２（本実施形態では約２２５度）である場合には、左勝手設定であると判定する。
【０１０１】
図１４（ｂ）に示すとおり、左勝手設定のサムターン装置１０では、サムギア３０が正方向（図１４では時計回り）に約９０度（＋９０度）回転すると、施錠状態とされる。
【０１０２】
例えば、手動により、左勝手設定のサムターン装置１０を解錠状態から施錠状態にする場合には、サムターン１８を正方向に約９０度（＋９０度）回転させる操作が行われることにより、サムギア３０が正方向に約９０度（＋９０度）回転する。サムギア３０の回転は、サムターン軸２２を介してハブ３に伝達され、錠前１の施錠動作が行われる。
【０１０３】
また、電動により、左勝手設定のサムターン装置１０を解錠状態から施錠状態にする場合には、制御部が第一被検知部８０及び第二被検知部８２の位置情報に基づいて、モータ６２を駆動させる制御が行われる。具体的には、左勝手設定において解錠状態から施錠状態にする場合には、制御部は、検知装置により検知された第一被検知部８０及び第二被検知部８２の位置情報に基づいてモータ６２を作動させ、サムギア３０を正方向に約９０度（＋９０度）回転させる。サムギア３０の回転は、サムターン軸２２を介してハブ３に伝達され、錠前１の施錠動作が行われる。
【０１０４】
制御部は、左勝手設定である場合において、サムギア３０の回転角度が正方向に９０度（＋９０度）である場合には、施錠状態であると判定する。具体的には、図１４（ｂ）に示すとおり、制御部は、第一被検知部８０が基準位置Ｐ１から正方向に９０度の位置にある左勝手施錠位置Ｐ３において検知されると、施錠状態であると判定する。
【０１０５】
図１４（ｃ）に示すとおり、左勝手設定のサムターン装置１０では、サムギア３０が逆方向（図１４では反時計回り）に約９０度（−９０度）回転すると、サムターン軸２２を介してハブ３に回転が伝達されて解錠状態とされる。
【０１０６】
例えば、手動により、左勝手設定のサムターン装置１０を施錠状態から解錠状態にする場合には、サムターン１８を逆方向に約９０度回転させる操作が行われることにより、サムギア３０が逆方向に約９０度（−９０度）回転する。サムギア３０の回転は、サムターン軸２２を介してハブ３に伝達され、錠前１の解錠動作が行われる。
【０１０７】
また、電動により、左勝手設定のサムターン装置１０を施錠状態から解錠状態にする場合には、制御部が第一被検知部８０及び第二被検知部８２の位置情報に基づいて、モータ６２を駆動させる制御が行われる。具体的には、左勝手設定において施錠状態から解錠状態にする場合には、制御部は、検知装置により検知された第一被検知部８０及び第二被検知部８２の位置情報に基づいてモータ６２を作動させ、サムギア３０を逆方向に約９０度（−９０度）回転させる。サムギア３０の回転は、サムターン軸２２を介してハブ３に伝達され、錠前１の解錠動作が行われる。
【０１０８】
なお、図１４（ｂ）及び（ｃ）に示すとおり、右勝手設定であるか左勝手設定であるかに関わらず、施解錠動作において、切替部材４０は、第一凸部４３が凹部３８に嵌め込まれた状態でサムギア３０と一体的に回転する。言い換えれば、サムギア３０及び切替部材４０は、施解錠動作において、相対位置を維持した状態で一体的に回転する。
【０１０９】
また、上述のとおり、右勝手設定及び左勝手設定のいずれの場合においても、解錠状態では、クラッチ機構７２により、駆動機構６０とサムギア３０との動力伝達が遮断された状態となる。そのため、サムギア３０が手動により回転する場合に、サムギア３０の回転がモータ６２に伝達されず、モータ６２に負荷がかかることを抑制することができる。
【０１１０】
＜左右勝手の切り替え動作について＞
続いて、図１５及び図１６に基づいて、サムターン装置１０の左右勝手の切り替え動作について説明する。図１５は、右勝手設定のサムターン装置１０を左勝手設定に切り替える場合の一連の動作を示している。
【０１１１】
図１５（ａ）に示すとおり、サムターン装置１０が右勝手設定であり、かつ解錠状態では、第一凸部４３が凹部３８に嵌め込まれた状態とされ、被規制部４８が規制部５６の第一規制部５６ａと隣接するように配置されている。
【０１１２】
図１５（ｂ）に示すとおり、サムターン１８が正方向に回転されると、切替部材４０は、被規制部４８が規制部５６と接触して正方向への回転が阻止される。その一方、サムギア３０はサムターン１８の回転に連動して正方向に回転が許容される。より具体的には、右勝手設定かつ解錠状態において、サムターン１８を正方向に回転させると、サムギア３０は凹部３８と第一凸部４３との嵌合が外れて回転する。この際、切替部材４０の第一凸部４３は、凹部３８と連続するように形成された起伏形状を乗り越えて、凹部３８との嵌合が解除される。これにより、サムギア３０は切替部材４０に対する相対位置が変化可能となる。
【０１１３】
図１５（ｃ）に示すとおり、サムターン１８及びサムギア３０の回転角度が９０度に到達すると、凹部３８には第二凸部４４が嵌め込まれた状態となる。凹部３８に第二凸部４４が嵌め込まれると、サムギア３０と切替部材４０とは、再び一体的に回転可能となる。また、この状態では、サムターン１８は、施錠状態を示す横向きの姿勢となる。これにより、サムターン装置１０は、機械的な構造として「右勝手設定」から「左勝手設定」への切り替えを行うことができる。
【０１１４】
さらに、第一被検知部８０と第二被検知部８２とは、角度θ２（本実施形態では２２５度）の角度をなすように配置される。サムターン装置１０の制御部は、第一被検知部８０と第二被検知部８２とが角度θ２をなす場合には、「左勝手設定」であると判定する。
【０１１５】
図１５（ｃ）に示す状態で、制御部に「施錠状態」であることを設定する操作を行い「施錠状態」であると認識させる。制御部は、第一被検知部８０と第二被検知部８２との相対位置に基づいて、「左勝手設定」であると判定する。また、制御部は、施錠状態とする場合にサムギア３０を正方向に回転させ、解錠状態とする場合にサムギア３０を逆方向に回転させるようにモータ６２を作動させる制御が切り替えられる。これにより、制御システム上の左右勝手の切り替えが行われる。
【０１１６】
また、上述のサムターン１８を逆方向に回転させる動作とは逆向きの動作を行うことにより、サムターン装置１０は左勝手設定から右勝手設定への切り替えを行うことができる。
【０１１７】
具体的には、図１６に示すとおり、サムターン装置１０が左勝手設定であり、かつ解錠状態では、第二凸部４４が凹部３８に嵌め込まれた状態とされている。また、この状態では、被規制部４８が規制部５６の第二規制部５６ｂと隣接するように配置されている。
【０１１８】
図１６（ｂ）に示すとおり、サムターン１８及びサムギア３０が逆方向に回転されると、切替部材４０は、被規制部４８が規制部５６と接触して逆方向への回転が阻止される。その一方、サムギア３０はサムターン１８の回転に連動して逆方向に回転が許容される。より具体的には、左勝手設定かつ解錠状態において、サムターン１８を逆方向に回転させると、サムギア３０は凹部３８と第二凸部４４との嵌合が外れて回転する。この際、切替部材４０の第二凸部４４は、凹部３８と連続するように形成された起伏形状を乗り越えて、凹部３８との嵌合が解除される。これにより、サムギア３０と切替部材４０との相対位置が変化可能となる。
【０１１９】
図１６（ｃ）に示すとおり、サムターン１８及びサムギア３０の回転角度が９０度に到達すると、凹部３８には第一凸部４３が嵌め込まれた状態となる。凹部３８に第一凸部４３が嵌め込まれると、サムギア３０と切替部材４０とは、再び一体的に回転可能となる。また、この状態では、サムターン１８は、施錠状態を示す横向きの姿勢となる。これにより、サムターン装置１０は、機械的な構造として「左勝手設定」から「右勝手設定」への切り替えを行うことができる。
【０１２０】
図１６（ｃ）に示す状態で、制御部に「施錠状態」であることを設定する操作を行い「施錠状態」であると認識させる。制御部は、第一被検知部８０と第二被検知部８２との相対位置に基づいて、「右勝手設定」であると判定する。また、制御部は、施錠状態とする場合にサムギア３０を逆方向に回転させ、解錠状態とする場合にサムギア３０を正方向に回転させるようにモータ６２を作動させる制御が切り替えられる。これにより、制御システム上の左右勝手の切り替えが行われる。
【０１２１】
このように、サムターン装置１０は、工具などを用いることなく、サムターン１８を回転させる動作により機械的な左右勝手の切り替えを行うことができる。そのため、サムターン装置１０は、錠前１にサムターン装置１０を取り付ける前に左右勝手の切り替えを行うことを要さず、錠前１に取り付けられた後であっても左右勝手の切り替えを行うことができる。例えば、サムターン装置１０は、左右勝手の機械的な設定を誤って錠前１に取り付けられた場合に、サムターン装置１０を錠前１から取り外すことなく、正しい勝手へと切り替えを行うことができる。
【０１２２】
また、サムターン装置１０は、サムターン装置１０を機械的な施錠状態とした後に、制御部に「施錠状態」であることを認識させる操作を行うことで、制御システム上の勝手設定の切り替えを行うことができる。そのため、サムターン装置１０の機械的な勝手設定を行った後に、「施錠状態」及び「解錠状態」のそれぞれを認識させることを要さず、制御システム上の勝手設定について設定作業の手間を少なくすることができる。
【０１２３】
以上、本発明の実施形態に係るサムターン装置１０について説明したが、本発明のサムターン装置は、上述の実施形態に限定されない。
【０１２４】
例えば、上述の実施形態に係るサムターン装置１０の係合機構５０は、サムギア３０に凹部３８を設け、切替部材４０に凸部４２を設けた例を示したが、本発明のサムターン装置はこれに限定されない。具体的には、本発明のサムターン装置は、サムギア（回転体）に凸部を設け、切替部材に凹部を設けたものとしてもよい。また、上述の実施形態に係るサムターン装置１０の係合機構５０は、二つの凸部４２と一つの凹部３８により構成される例を示したが、本発明のサムターン装置は、二つの凹部と一つの凸部により構成されるものとしてもよい。
【０１２５】
また、上述の実施形態に係るサムターン装置１０では、規制部５６をギア収容体５４に設けた例を示したが、本発明のサムターン装置はこれに限定されない。例えば、本発明のサムターン装置の規制部は、サムターン装置において切替部材と接触可能な位置であり、かつ、サムターン装置全体において相対位置が変化しない部材や位置に設けられるものであれば、いかなる部材に設けられるものであってもよい。例えば、本発明のサムターン装置１０の規制部は、裏蓋に設けられるものであってもよいし、カバーに設けられるものであってもよい。
【０１２６】
さらに、上述の実施形態に係るサムターン装置１０では、非接触型センサーとされた検知装置により第一被検知部８０及び第二被検知部８２の位置を検知することにより、サムギア３０及び切替部材４０の位置を判定し、右勝手設定であるか左設定であるか、また施解錠の状態を判定するものとした例を示したが、本発明のサムターン装置はこれに限定されない。例えば、本発明のサムターン装置の検知装置は、サムギアや切替部材の変位量を検知して、左右勝手の判定や施解錠の判定を行うものであってもよい。
【０１２７】
また、上述の実施形態に係るサムターン装置１０では、錠前１に取り付けられるものとした例を示したが、本発明のサムターン装置はこれに限定されない。例えば、本発明のサムターン装置は、さらにデッドボルトやハブを備えるものとしてもよい。
【産業上の利用可能性】
【０１２８】
本発明は、左右勝手に対応するサムターン装置として、好適に利用することができる。
【符号の説明】
【０１２９】
１０    サムターン装置
１８    サムターン
３０    サムギア（回転体）
３８    凹部
４０    切替部材
４２    凸部
４３    第一凸部（凸部）
４４    第二凸部（凸部）
４８    被規制部
５０    係合機構
５２    切替機構
５６    規制部
５６ａ  第一規制部（規制部）
５６ｂ  第二規制部（規制部）
Ｌ１    回転軸
Ｐｌ    左勝手位置
Ｐｒ    右勝手位置
Ｒ      可動域
【図１】
2019190235.tif 000003
【図２】
2019190235.tif 000004
【図３】
2019190235.tif 000005
【図４】
2019190235.tif 000006
【図５】
2019190235.tif 000007
【図６】
2019190235.tif 000008
【図７】
2019190235.tif 000009
【図８】
2019190235.tif 000010
【図９】
2019190235.tif 000011
【図１０】
2019190235.tif 000012
【図１１】
2019190235.tif 000013
【図１２】
2019190235.tif 000014
【図１３】
2019190235.tif 000015
【図１４】
2019190235.tif 000016
【図１５】
2019190235.tif 000017
【図１６】
2019190235.tif 000018